(57)【要約】【課題】生体情報取得用リード線のタイプにかかわらず収納性や取り回し容易性を向上させること。【解決手段】ケーブル１２ａは、対応する電極により検出される被検者の生体情報を伝送する導線１５ａと、導線１５ａを被覆する被覆部１６ａとを有する。ケーブル１２ｂは、対応する電極により検出される生体情報を伝送する導線１５ｂと、導線１５ｂを被覆する被覆部１６ｂとを有する。機器コネクタ１４は、各ケーブル１２ａ、１２ｂの一端に設けられ、導線１５ａ、１５ｂにより伝送される生体情報を外部機器に入力する。スライダ１３は、ケーブル１２ａ、１２ｂに摺動自在に設けられ、摺動すると摺動範囲内のケーブル１２ａ、１２ｂを結束または解束する。【選択図】図１
2008154973.tif 000002
【特許請求の範囲】
【請求項１】
第１のセンサにより検出される被検者の生体情報を伝送する第１の導線と、前記第１の導線を被覆する第１の被覆部とを有する第１のケーブルと、
第２のセンサにより検出される前記生体情報を伝送する第２の導線と、前記第２の導線を被覆する第２の被覆部とを有する第２のケーブルと、
前記第１および第２のケーブルの各々の一端に設けられ、前記第１および第２の導線により伝送される前記生体情報を外部機器に入力する機器コネクタと、
前記第１および第２のケーブルに摺動自在に設けられ、摺動すると摺動範囲内の前記第１および第２のケーブルを結束または解束するスライダと、
を有することを特徴とする生体情報取得用リード線。
【請求項２】
第３のセンサにより検出される前記生体情報を伝送する第３の導線と、前記第３の導線を被覆する第３の被覆部とを有する第３のケーブルをさらに有し、
前記機器コネクタは、前記第３のケーブルの一端にさらに設けられ、前記第３の導線により伝送される前記生体信号を前記外部機器に入力し、
前記スライダは、前記第３のケーブルに摺動自在に設けられ、摺動すると前記第１および第２のケーブルを結束または解束すると同時に、前記第２および第３のケーブルを結束または解束する、
ことを特徴とする請求項１記載の生体情報取得用リード線。
【請求項３】
前記第１のケーブルは、前記第１の被覆部の外周面上に、前記第１の被覆部の長さ方向に沿って設けられた第１の嵌合部をさらに有し、
前記第２のケーブルは、前記第２の被覆部の外周面上に、前記第２の被覆部の長さ方向に沿って平行に設けられた第２および第３の嵌合部をさらに有し、
前記第３のケーブルは、前記第３の被覆部の外周面上に、前記第３の被覆部の長さ方向に沿って設けられた第４の嵌合部をさらに有し、
前記スライダは、摺動すると前記第１から第３のケーブルを案内して、前記第１および第２の嵌合部を嵌合または分離させると同時に、前記第２および第３の嵌合部を嵌合または分離させる案内部を有する、
ことを特徴とする請求項２記載の生体情報取得用リード線。
【請求項４】
前記第２および第３の嵌合部は、前記第２の被覆部の外周面上の反対側に設けられる、
ことを特徴とする請求項３記載の生体情報取得用リード線。
【請求項５】
前記スライダは、前記ケーブル上で前記機器コネクタから遠ざかる方向に摺動すると前記摺動範囲内の前記ケーブルを結束し、前記ケーブル上で前記機器コネクタに近づく方向に摺動すると前記摺動範囲内の前記ケーブルを解束する、
ことを特徴とする請求項１記載の生体情報取得用リード線。
【請求項６】
前記スライダは、前記ケーブルに着脱自在に設けられる、
ことを特徴とする請求項１記載の生体情報取得用リード線。
【請求項７】
前記スライダを前記被検者の体表または着衣に装着する装着部をさらに有する、
ことを特徴とする請求項１記載の生体情報取得用リード線。
【請求項８】
前記装着部は、前記スライダに設けられたクリップを含む、
ことを特徴とする請求項７記載の生体情報取得用リード線。
【発明の詳細な説明】
【技術分野】
【０００１】
本発明は、生体情報取得用リード線に関する。
【背景技術】
【０００２】
一般に、生体情報取得用リード線（以下、単に「リード線」ともいう）は、心電図や呼吸などの様々な生体情報の取得に用いられるものであり、柔軟性を有する絶縁材料で導線を被覆してなるケーブルを主に有する。ケーブルの一端には、被検者の体表に装着されて被検者の生体情報を検知する電極、またはその電極に接続可能なコネクタが設けられ、ケーブルの他端には、検知された生体情報を記録する記録装置等の外部機器の入力端子に接続可能なコネクタが設けられている。使用時には、被検者の電極装着部位の生体情報が、電極により電気信号（生体信号）に変換され、生体信号は、リード線を介して外部機器に入力される。
【０００３】
従来の生体情報取得用リード線には、同一種類または異なる種類の生体情報を複数箇所から同時に計測するために、複数のケーブルを一体化してなるものがある。このようなリード線の一例が、特許文献１に記載されている。このリード線においては、３本のケーブルの被覆が溶着または接着剤により接着され、これにより３本のケーブルが一体化されている。被覆は、いずれか２本のケーブルの端部付近を、適度な力で互いに反対方向に引っ張ることにより、被覆の接着部分が破断してこれら２本のケーブルが互いに分離するように形成されている。これにより、ケーブルの接着部分および非接着部分の長さの調節が可能となるため、リード線の収納性や取り回し容易性の向上という利点が得られる。
【特許文献１】特開２００５−１８３１３３号公報
【発明の開示】
【発明が解決しようとする課題】
【０００４】
しかしながら、上記従来の生体情報取得用リード線においては、溶着または接着剤により接着した複数のケーブルの被覆を破断により分離させるため、被覆の一部分を使用時に一旦分離すると、使用後にそこを元に戻すことは容易ではない。よって、このような被覆構造は、使い捨てタイプのリード線に適用した場合に関しては、前述の利点が得られると言えるものの、何度も繰り返し使用されるタイプのリード線に適用した場合に関しては、２回目以降の使用を考慮すると、前述の利点が得られるとは必ずしも言えない。
【０００５】
本発明は、かかる点に鑑みてなされたもので、生体情報取得用リード線のタイプにかかわらず収納性や取り回し容易性を向上させることができる生体情報取得用リード線を提供することを目的とする。
【課題を解決するための手段】
【０００６】
本発明の生体情報取得用リード線は、第１のセンサにより検出される被検者の生体情報を伝送する第１の導線と、前記第１の導線を被覆する第１の被覆部とを有する第１のケーブルと、第２のセンサにより検出される前記生体情報を伝送する第２の導線と、前記第２の導線を被覆する第２の被覆部とを有する第２のケーブルと、前記第１および第２のケーブルの各々の一端に設けられ、前記第１および第２の導線により伝送される前記生体情報を外部機器に入力する機器コネクタと、前記第１および第２のケーブルに摺動自在に設けられ、摺動すると摺動範囲内の前記第１および第２のケーブルを結束または解束するスライダと、を有する構成を採る。
【発明の効果】
【０００７】
本発明によれば、生体情報取得用リード線のタイプにかかわらず生体情報取得用リード線の利便性を向上させることができる。
【発明を実施するための最良の形態】
【０００８】
以下、本発明の実施の形態について、図面を用いて詳細に説明する。
【０００９】
図１は、本発明の一実施の形態に係る生体情報取得用リード線の構成を示す図であり、（ａ）は全体構成を概略的に示し、（ｂ）は（ａ）のＡ−Ａ線断面図を示し、（ｃ）は（ａ）の一部の拡大図である。
【００１０】
同図に示す生体情報取得用リード線１０は、電極コネクタ１１ａ、１１ｂ、１１ｃ、ケーブル１２ａ、１２ｂ、１２ｃ、スライダ１３および機器コネクタ１４を有する。
【００１１】
電極コネクタ１１ａ、１１ｂ、１１ｃは、ケーブル１２ａ、１２ｂ、１２ｃの一端に設けられたマグネット式、ホック式またはクリップ式のコネクタであり、対応するセンサにそれぞれ接続される。センサは、被検者の体表に装着可能であり、装着部位の生体情報を検出する。センサは、典型的には、被検者の生体情報を電気信号に変換することにより生体情報検出を行う電極を主要構成として有する。
【００１２】
ケーブル１２ａ、１２ｂ、１２ｃは、導線１５ａ、１５ｂ、１５ｃをそれぞれ被覆部１６ａ、１６ｂ、１６ｃで被覆してなる。導線１５ａ、１５ｂ、１５ｃは、導電性線材からなり、それぞれ異なるセンサにより検出された生体情報を伝送する。被覆部１６ａ、１６ｂ、１６ｃは、柔軟性を有する絶縁材料からなり、導線１５ａ、１５ｂ、１５ｃをそれぞれ外部から絶縁する。
【００１３】
被覆部１６ａ、１６ｂ、１６ｃの外周面には、３個の突起が形成されている。これらの突起は、被覆部１６ａ、１６ｂ、１６ｃの長さ方向に延伸し、その全長にわたり略均一の高さを有する。この高さは、被覆部１６ａ、１６ｂ、１６ｃの外周面の内径に比して十分に小さいことが好ましい。これらの突起のうちの１個とその他の２個の対とは、被覆部１６ａ、１６ｂ、１６ｃの外周面上の略反対側に形成されている。また、これらの突起は、被覆部１６ａ、１６ｂ、１６ｃと同一の材料を用いて、被覆部１６ａ、１６ｂ、１６ｃと一体形成されている。これらの突起のうちの１個は、嵌合凸部１７ａ、１７ｂ、１７ｃを構成する。対をなすその他の２個は、他のケーブルの突起つまり嵌合凸部を嵌着可能な溝を有する嵌合凹部１８ａ、１８ｂ、１８ｃを構成する。
【００１４】
被覆部１６ａ、１６ｂ、１６ｃがいずれも同一形状となるように嵌合凸部１７ａ、１７ｂ、１７ｃおよび嵌合凹部１８ａ、１８ｂ、１８ｃが形成されている。よって、嵌合凸部１７ａ、１７ｂ、１７ｃおよび嵌合凹部１８ａ、１８ｂ、１８ｃを含めた被覆部１６ａ、１６ｂ、１６ｃの断面形状が同一となるため、ケーブル１２ａ、１２ｂ、１２ｃの製造過程を簡略化することができる。
【００１５】
また、３本のケーブル１２ａ、１２ｂ、１２ｃの中央に配置されたケーブル１２ｂにおいて、嵌合凸部１７ｂおよび嵌合凹部１８ｂが、被覆部１５ｂの外周面上の反対側に形成されている。これにより、これらが他のケーブル１２ａ、１２ｃの被覆部１５ａ、１５ｃの嵌合凹部１８ａおよび嵌合凸部１７ｃと嵌合するとき、３本のケーブル１２ａ、１２ｂ、１２ｃを並べた状態で結束することができる。
【００１６】
なお、嵌合凸部１７ａ、１７ｂ、１７ｃおよび嵌合凹部１８ａ、１８ｂ、１８ｃの形状は前述のものだけに限定されず、適宜変更することができる。
【００１７】
スライダ１３は、軽量の絶縁材料からなるスライダ本体に、ケーブル１２ａ、１２ｂ、１２ｃを挿通可能な貫通孔を形成してなるものであり、ケーブル１２ａ、１２ｂ、１２ｃに摺動自在に設けられている。この貫通孔は、その長さ方向の略中央部から電極コネクタ１１ａ、１１ｂ、１１ｃ側では、３本のケーブル１２ａ、１２ｂ、１２ｃに対応して３つに分岐し、その長さ方向の略中央部から機器コネクタ１４側では、１つに合流している。分岐している部分の貫通孔は、各ケーブル１２ａ、１２ｂ、１２ｃの嵌合凸部１７ａ、１７ｂ、１７ｃおよび嵌合凹部１８ａ、１８ｂ、１８ｃの頂部ならびに被覆部１６ａ、１６ｂ、１６ｃの外周面に近接する略楕円形の内壁を有することが好ましい。また、合流している部分の貫通孔は、中央部から機器コネクタ１４側に進むにつれてその幅が漸減している。好ましくは、中央部付近の貫通孔の幅は、各ケーブル１２ａ、１２ｂ、１２ｃの嵌合凸部１７ａ、１７ｂ、１７ｃおよび嵌合凹部１８ａ、１８ｂ、１８ｃの頂部間の距離の和に略等しく、機器コネクタ１４側の開口付近の貫通孔の幅は、各被覆部１６ａ、１６ｂ、１６ｃの外周面内径と、嵌合凸部１７ａの高さと、嵌合凹部１８ｃの高さとの和に略等しい。また、高さに関しては、好ましくは、分岐している部分でも合流している部分でも、貫通孔は、その内壁が各被覆部６ａ、１６ｂ、１６ｃの外周面に近接する程度の高さを有し、且つその高さは貫通孔の全長にわたって略均一である。
【００１８】
スライダ１３の上記貫通孔は、以下に説明するように、案内部としての機能を有する。具体的には、スライダ１３がケーブル１２ａ、１２ｂ、１２ｃ上を摺動して方向Ｓ１に移動すると、貫通孔は、ケーブル１２ａ、１２ｂ、１２ｃを案内して、摺動範囲（換言すれば、スライダ１３が摺動時に通過した範囲）内にある嵌合凸部１７ｂは、嵌合凹部１８ａの対応部分（摺動前は摺動範囲内の嵌合凸部１７ｂと分離している）に嵌入し、これと同時に、摺動範囲内にある嵌合凸部１７ｃは、嵌合凹部１８ｂの対応部分（摺動前は摺動範囲内の嵌合凸部１７ｃと分離している）に嵌入する。このようにして、スライダ１３は、摺動範囲内のケーブル１２ａ、１２ｂ、１２ｃを結束する。これとは逆に、スライダ１３がケーブル１２ａ、１２ｂ、１２ｃ上を摺動して方向Ｓ２に移動すると、貫通孔は、ケーブル１２ａ、１２ｂ、１２ｃを案内して、摺動範囲内にある嵌合凸部１７ｂは、嵌合凸部１７ｂは、嵌合凹部１８ａの対応部分（摺動前は摺動範囲内の嵌合凸部１７ｂと嵌合している）から分離し、これと同時に、摺動範囲内にある嵌合凸部１７ｃは、嵌合凹部１８ｂの対応部分（摺動前は摺動範囲内の嵌合凸部１７ｃと嵌合している）から分離する。このようにして、スライダ１３は、摺動範囲内のケーブル１２ａ、１２ｂ、１２ｃを解束する。
【００１９】
機器コネクタ１４は、ケーブル１２ａ、１２ｂ、１２ｃの他端（つまり、電極コネクタ１１ａ、１１ｂ、１１ｃが設けられた端部の反対側の端部）に設けられたプラグ式のコネクタであり、生体情報記録装置（例えば、計測対象の生体情報が心電図であれば心電計）等の外部機器の入力端子に接続される。機器コネクタ１４は、導線１５ａ、１５ｂ、１５ｃにより伝送された生体情報を外部機器の入力端子に入力する。
【００２０】
本実施の形態の上記構成により、リード線１０の不使用時（つまり保管時）には、スライダ１３を電極コネクタ１１ａ、１１ｂ、１１ｃの近傍まで摺動させることができる。これにより、ケーブル１２ａ、１２ｂ、１２ｃの略全長を結束することができ、保管時のリード線１０の収納性を向上させることができる。一方、リード線１０の使用時（つまり装着時）には、電極コネクタ１１ａ、１１ｂ、１１ｃにそれぞれ接続された電極が適度なゆとりをもって体表に装着され得る程度まで、スライダ１３を電極コネクタ１１ａ、１１ｂ、１１ｃの近傍から機器コネクタ１４側に向かって摺動させることができる。これにより、ケーブル１２ａ、１２ｂ、１２ｃの全長の一部のみを解束しその他の部分を結束したままにすることができ、装着時のリード線１０の取り回し容易性を向上させることができる。さらに、スライダ１３がケーブル１２ａ、１２ｂ、１２ｃ上を摺動自在であるため、リード線１０を何度も繰り返し使用しても、上記の作用効果を実現することができる。
【００２１】
一般には、本実施の形態のリード線１０のように一端に電極コネクタが設けられたケーブルを有するリード線は、繰り返し使用されるタイプとしての使用に適し、電極コネクタの代わりに電極自体が設けられたケーブルを有するリード線は、使い捨てタイプとしての使用に適している。本実施の形態で説明した上記構成は、どちらのタイプへの適用も可能であり、よって、リード線のタイプにかかわらず上記の作用効果を実現することができる。
【００２２】
なお、本実施の形態では、リード線が３本のケーブルを有する場合を例にとって説明したが、２本または４本以上のケーブルを有するリード線でも上記と同様の作用効果を得ることができる。
【００２３】
また、本実施の形態では、機器コネクタ側のケーブル端部が常時結束され解束できない場合を例にとって説明したが、この端部は解束可能であってもよい。この場合、上記のスライダと同じ構成を有する２つのスライダをケーブルに設けることができる。具体的には、２つのうちの第１のスライダを、分岐している部分の貫通孔を電極コネクタ側に向けて第２のスライダよりも電極コネクタ側に配置し、ケーブルに摺動可能に設け、第２のスライダを、分岐している部分の貫通孔を機器コネクタ側に向けて配置し、ケーブルに摺動可能に設けることができる。これにより、電極コネクタ側の結束・解束だけでなく機器コネクタ側の結束・解束も自在に調整することができる。
【００２４】
また、本実施の形態では、ケーブル１２ａ、１２ｂ、１２ｃ上のスライダ１３の可動域を制限せずスライダ１３がケーブル１２ａ、１２ｂ、１２ｃの全長にわたって摺動できる場合を例にとって説明したが、スライダ１３の摺動を止める１個または１対のストッパをケーブル１２ａ、１２ｂ、１２ｃの所定位置に固定してスライダ１３の可動域を制限することもできる。
【００２５】
以上、本実施の形態の生体情報取得用リード線１０の構成について説明したが、この構成は、種々変更して実施することができる。
【００２６】
例えばスライダ１３に関しては、以下説明するように幾つかの変形例があり得る。
【００２７】
図２に示す第１の変形例では、スライダ１３にクリップ１９のような装着部が設けられている。これにより、スライダ１３を被検者の着衣に装着することができる。なお、装着部としては、クリップ１９の代わりに粘着シートをスライダ１３に設けてもよく、この場合は、粘着シートを被検者の着衣または体表に貼付することができる。
【００２８】
図３に示す第２の変形例では、スライダ１３の本体が分解可能な構成を有するため、スライダ１３をケーブル１２ａ、１２ｂ、１２ｃに着脱自在に設けることができる。図３の例では、スライダ１３が、上部１３ａおよび下部１３ｂに分割されている。係止凸部２１が係止凹部２２に係止されているときには、スライダ１３の本体は一体化した状態となり（図３（ａ））、貫通孔２３ａ、２３ｂ、２３ｃにそれぞれケーブル１２ａ、１２ｂ、１２ｃを収容してスライダ１３をケーブル１２ａ、１２ｂ、１２ｃに装着することができる。一方、係止凸部２１が係止凹部２２に係止されていないときには、スライダ１３の本体は分解された状態となり（図３（ｂ））、貫通孔２３ａ、２３ｂ、２３ｃにそれぞれ収容されたケーブル１２ａ、１２ｂ、１２ｃを解放することができ、スライダ１３をケーブル１２ａ、１２ｂ、１２ｃから取り外すことができる。この構成により、スライダ１３が汚れたときや壊れたときにスライダ１３を交換することができるようになるため、リード線１０の寿命を長くすることができる。なお、スライダ１３をケーブル１２ａ、１２ｂ、１２ｃに着脱自在に設けるための構成は前述のものだけに限定されず、適宜変更することができる。
【００２９】
また、図示していないが、第３の変形例では、スライダ１３の本体表面に、ケーブル１２ａ、１２ｂ、１２ｃを互いに識別可能な情報を表示することができる。例えば、貫通孔に挿通された各ケーブル１２ａ、１２ｂ、１２ｃに対応する本体表面上の箇所に、各電極コネクタ１１ａ、１１ｂ、１１ｃと同じ配色を与えることにより、装着時の電極とリード線との対応関係を明確化することができる。なお、表示は、色に限定されるものではなく、文字やマーク等でもよい。また、スライダ１３の表裏を識別できるように、スライダ１３の本体表面に、特定の色や文字、マーク等を表示してもよい。
【図面の簡単な説明】
【００３０】
【図１】本発明の一実施の形態に係る生体情報取得用リード線の構成を示す図
【図２】本発明の一実施の形態に係るスライダの変形例を示す図
【図３】本発明の一実施の形態に係るスライダの他の変形例を示す図
【符号の説明】
【００３１】
１０  生体情報取得用リード線
１１ａ、１１ｂ、１１ｃ  電極コネクタ
１２ａ、１２ｂ、１２ｃ  ケーブル
１３  スライダ
１４  機器コネクタ
１５ａ、１５ｂ、１５ｃ  導線
１６ａ、１６ｂ、１６ｃ  被覆部
１７ａ、１７ｂ、１７ｃ  嵌合凸部
１８ａ、１８ｂ、１８ｃ  嵌合凹部
１９  クリップ
【図１】
2008154973.tif 000003
【図２】
2008154973.tif 000004
【図３】
2008154973.tif 000005